(57)【要約】      （修正有）【課題】冊子品位の確保が可能な用紙綴じ装置を提供する。【解決手段】用紙綴じ装置１Ａは、中折りされた本身１０及び表紙１１が積載される支持部材２と、本身１０及び表紙１１を支持部材に押圧する押さえ部材３と、綴じ針を本身１０及び表紙１１に貫通させるステープラと、綴じ針を曲げて本身１０及び表紙１１を綴じるクリンチャを備える。押さえ部材３は、本身１０及び表紙１１を押圧する押さえ凹部３０を備え、押さえ凹部３０の角度が表紙ガイド角度α２へ開き、かつ、押さえ部材３が表紙ガイド位置Ｔ２に下降することで、表紙１１に折り目を付けることなく、綴じ位置とのずれを抑制する。【選択図】図３
2016222444.tif 000002
【特許請求の範囲】
【請求項１】
綴じ針を冊子に貫通させるステープラと、
冊子を貫通した綴じ針を曲げるクリンチャと、
冊子の折り目が上に凸となる状態で冊子を下側から支持する支持部材と、
前記支持部材で支持された冊子を上側から押圧する押さえ部材とを備え、
前記押さえ部材は、冊子を押圧する三角の断面形状を有した押さえ凹部を構成する一対の押圧部材を備え、前記支持部材に対する前記押圧部材の位置が切り替え可能に構成されると共に、前記押さえ凹部の角度が切り替え可能に構成され、
前記支持部材は、冊子を支持する三角の断面形状を構成する一対の支持面を備え、前記一対の支持面の角度が切り替え可能に構成される
ことを特徴とする用紙綴じ装置。
【請求項２】
前記押さえ部材は、前記押圧部材と前記支持部材の間に、冊子の本身を積載可能な隙間を構成する第１の位置と、第１の位置より前記支持部材側であって、前記押圧部材と前記支持部材に積載された本身の間に、前記支持部材に積載された本身より折り目の角度が大きい表紙を積載可能な隙間を構成する第２の位置と、第２の位置より前記支持部材側であって、前記支持部材に積載された本身及び表紙を前記押圧部材で押圧する第３の位置に移動可能に構成される
ことを特徴とする請求項１に用紙綴じ装置。
【請求項３】
前記押さえ部材は、前記押さえ凹部の角度が、冊子の本身の折り目の角度に応じた第１の角度と、本身より折り目の角度が大きい表紙の折り目の角度に応じた第２の角度と、第２の角度より大きい第３の角度に切り替え可能に構成される
ことを特徴とする請求項１または請求項２に記載の用紙綴じ装置。
【請求項４】
前記支持部材は、一対の前記支持面の角度が、冊子の本身の折り目の角度に応じた第１の支持角度と、前記押さえ凹部の第３の角度に応じた第２の支持角度に切り替え可能に構成される
ことを特徴とする請求項３に記載の用紙綴じ装置。
【請求項５】
冊子の本身を積載する動作では、前記押さえ部材は、前記押圧部材と前記支持部材の間に、冊子の本身を積載可能な隙間を構成する第１の位置に移動させると共に、前記押さえ凹部の角度が、冊子の本身の折り目の角度に応じた第１の角度に設定され、前記支持部材は、一対の前記支持面の角度が、冊子の本身の折り目の角度に応じた第１の支持角度に設定され、
前記支持部材に積載された本身より折り目の角度が大きい表紙を積載する動作では、前記押さえ部材は、前記押圧部材と前記支持部材に積載された本身の間に、本身より開いた形態の表紙を積載可能な隙間を構成する第２の位置に移動させると共に、前記押さえ凹部の角度が、表紙の折り目の角度に応じた第２の角度に設定され、
本身及び表紙を綴じる動作では、前記押さえ部材は、前記支持部材に積載された本身及び表紙を前記押圧部材で押圧する第３の位置に移動させると共に、前記押さえ凹部の角度が、第２の角度より大きい第３の角度に設定され、前記支持部材は、一対の前記支持面の角度が、前記押さえ凹部の第３の角度に応じた第２の支持角度に設定される
ことを特徴とする請求項１〜請求項４の何れか１項に記載の用紙綴じ装置。
【請求項６】
請求項１から請求項５の何れか１項に記載の用紙綴じ装置を備えた
ことを特徴とする画像形成システム。
【発明の詳細な説明】
【技術分野】
【０００１】
本発明は、中折りされた冊子を綴じ針で綴じる用紙綴じ装置及びこの用紙綴じ装置が組み込まれた画像形成システムに関する。
【背景技術】
【０００２】
従来から、ステープルと称される綴じ針で用紙の束を綴じる技術が知られている。このような製本化作業では、折り目位置のずれ等、冊子の仕上がりの良さ及び生産性の向上が求められており、これらを解決する手法として、鞍掛け中綴じ方式と称す製本機が提案されている（例えば、特許文献１参照）。
【０００３】
鞍掛け中綴じ方式では、逆Ｖ字形状に積載された冊子を綴じる処理を行う前に、逆Ｖ字型の押さえ部材で押さえることで、折り目位置のずれを抑制する技術が知られている。
【０００４】
また、表紙のみ折り目を甘折りとすることで、表紙に本身の折り目の後が付いくこと、表紙の画像が割れることを抑制する技術が提案されている（例えば、特許文献２参照）。
【先行技術文献】
【特許文献】
【０００５】
【特許文献１】特許第４１３５５９５号公報
【特許文献１】特許第５５００１５６号公報
【発明の概要】
【発明が解決しようとする課題】
【０００６】
しかし、表紙のみ折り目を甘折りとしても、Ｖ字型の支持部材に積載された表紙及び本身を逆Ｖ字型の押さえ部材で押さえることで、本身の折り目が表紙に転写されてしまい、折り目の筋が表紙についてしまう。その対策として、押さえ部材を平面とすると、折り目の位置を保持することができず、綴じ位置のずれ、あるいは表紙と本身との位置ずれが生じる可能性がある。
【０００７】
本発明は、このような課題を解決するためなされたもので、冊子品位の確保が可能な用紙綴じ装置、及び、この用紙綴じ装置を備えた画像形成システムを提供することを目的とする。
【課題を解決するための手段】
【０００８】
上述した課題を解決するため、請求項１に記載の発明は、綴じ針を冊子に貫通させるステープラと、冊子を貫通した綴じ針を曲げるクリンチャと、冊子の折り目が上に凸となる状態で冊子を下側から支持する支持部材と、支持部材で支持された冊子を上側から押圧する押さえ部材とを備え、押さえ部材は、冊子を押圧する三角の断面形状を有した押さえ凹部を構成する一対の押圧部材を備え、支持部材に対する押圧部材の位置が切り替え可能に構成されると共に、押さえ凹部の角度が切り替え可能に構成され、支持部材は、冊子を支持する三角の断面形状を構成する一対の支持面を備え、一対の支持面の角度が切り替え可能に構成される用紙綴じ装置である。
【０００９】
請求項２に記載の発明は、押さえ部材は、押圧部材と支持部材の間に、冊子の本身を積載可能な隙間を構成する第１の位置と、第１の位置より支持部材側であって、押圧部材と支持部材に積載された本身の間に、支持部材に積載された本身より折り目の角度が大きい表紙を積載可能な隙間を構成する第２の位置と、第２の位置より支持部材側であって、支持部材に積載された本身及び表紙を押圧部材で押圧する第３の位置に移動可能に構成される請求項１に用紙綴じ装置である。
【００１０】
請求項３に記載の発明は、押さえ部材は、押さえ凹部の角度が、冊子の本身の折り目の角度に応じた第１の角度と、本身より折り目の角度が大きい表紙の折り目の角度に応じた第２の角度と、第２の角度より大きい第３の角度に切り替え可能に構成される請求項１または請求項２に記載の用紙綴じ装置である。
【００１１】
請求項４に記載の発明は、支持部材は、一対の支持面の角度が、冊子の本身の折り目の角度に応じた第１の支持角度と、押さえ凹部の第３の角度に応じた第２の支持角度に切り替え可能に構成される請求項３に記載の用紙綴じ装置である。
【００１２】
請求項５に記載の発明は、冊子の本身を積載する動作では、押さえ部材は、押圧部材と支持部材の間に、冊子の本身を積載可能な隙間を構成する第１の位置に移動させると共に、押さえ凹部の角度が、冊子の本身の折り目の角度に応じた第１の角度に設定され、支持部材は、一対の支持面の角度が、冊子の本身の折り目の角度に応じた第１の支持角度に設定され、支持部材に積載された本身より折り目の角度が大きい表紙を積載する動作では、押さえ部材は、押圧部材と支持部材に積載された本身の間に、本身より開いた形態の表紙を積載可能な隙間を構成する第２の位置に移動させると共に、押さえ凹部の角度が、表紙の折り目の角度に応じた第２の角度に設定され、本身及び表紙を綴じる動作では、押さえ部材は、支持部材に積載された本身及び表紙を押圧部材で押圧する第３の位置に移動させると共に、押さえ凹部の角度が、第２の角度より大きい第３の角度に設定され、支持部材は、一対の支持面の角度が、前記押さえ凹部の第３の角度に応じた第２の支持角度に設定される請求項１〜請求項４の何れか１項に記載の用紙綴じ装置である。
【００１３】
請求項６に記載の発明は、請求項１から請求項５の何れか１項に記載の用紙綴じ装置を備えた画像形成システムである。
【発明の効果】
【００１４】
本発明では、折り目が甘折りされた冊子の表紙を冊子の本身に積載する際に、表紙の折り目に合わせて押さえ凹部の角度を設定し、また、表紙のガイドが可能な位置に押さえ部材を移動させることで、折り目の位置を綴じ位置に合わせ、かつ、表紙の折り目に筋が付くことを抑制することができる。
【図面の簡単な説明】
【００１５】
【図１】本実施の形態の用紙綴じ装置の一例を示す要部斜視図である。
【図２】本実施の形態の用紙綴じ装置の動作例を示す要部側面図である。
【図３】本実施の形態の用紙綴じ装置の動作例を示す要部側面図である。
【図４】本実施の形態の用紙綴じ装置の動作例を示す要部側面図である。
【図５】本実施の形態の用紙綴じ装置の動作例を示す要部側面図である。
【図６】本実施の形態の用紙綴じ装置が組み込まれた画像形成システムの一例を示す構成図である。
【図７】開閉機構の一例を示す構成図である。
【図８】駆動機構の一例を示す構成図である。
【図９】本実施の形態の用紙綴じ装置の動作の一例を示すフローチャートである。
【図１０】本実施の形態の用紙綴じ装置の他の動作例を示す説明図である。
【発明を実施するための形態】
【００１６】
以下、図面を参照して、本発明の用紙綴じ装置、用紙綴じ装置が組み込まれた画像形成システムの実施の形態について説明する。
【００１７】
＜本実施の形態の用紙綴じ装置及び画像形成システムの構成例＞
図１は、本実施の形態の用紙綴じ装置の一例を示す要部斜視図、図２〜図５は、本実施の形態の用紙綴じ装置の動作例を示す要部側面図、図６は、本実施の形態の用紙綴じ装置が組み込まれた画像形成システムの一例を示す構成図である。
【００１８】
本実施の形態の用紙綴じ装置１Ａは、図６に示すように、用紙に画像を形成して排紙する画像形成装置１００と組み合わせられて画像形成システム１０１を構成する。画像形成システム１０１は、本例では、画像形成装置１００と、中間搬送装置２００と、中綴じ処理装置３００と、平綴じ処理装置４００を備える。
【００１９】
画像形成装置１００は、用紙に画像を形成する。画像形成装置１００は、例えば、記録媒体として備蓄された用紙を用紙トレイから引き出して搬送する搬送部、ビットマップデータに応じたトナー像を転写ローラ等の一次転写部材に現像する現像部、一次転写部材に現像されたトナー像を転写ドラム１５０等の二次転写部材に転写する一次転写部、二次転写部材に転写されたトナー像を搬送部により搬送される用紙に転写する二次転写部、転写されたトナー像を用紙に定着させる定着部、及び定着部による定着処理後の用紙を排出する排出部等を備える。画像形成装置１００は、画像が形成された用紙を中間搬送装置２００に搬送する。
【００２０】
中間搬送装置２００は、用紙を一時的に待機させると共に、用紙に対して筋付け及び断裁を施すことの可能な装置である。中間搬送装置２００は、例えば、画像形成装置１００から搬送された用紙を下降させるように搬送して用紙の紙面を上下方向にほぼ沿わせた状態で一旦停止させて待機させるスタッカと称される待機部、待機中の用紙の位置を整合する整合部、整合された用紙に筋付けを行うクリーサと称される筋付け部、及び筋付けが施された用紙を搬送しながら当該用紙の余白部分を断裁するスリッタと称される断裁部等を備える。
【００２１】
中間搬送装置２００は、画像形成装置１００から搬送された用紙を待機部において一旦停止させた状態で整合部により整合を行い、次いで筋付け部により筋付け処理を行った後、筋付けが施された用紙を搬送しながら当該用紙の余白部分を断裁部により断裁する。その後、中間搬送装置２００は、断裁部により余白部分の断裁された用紙を中綴じ処理装置３００に搬送する。
【００２２】
中綴じ処理装置３００は、用紙処理装置として、用紙を中折り（二つ折り）にする中折り処理、中折りされた用紙を所定枚数重ね合わせて綴じることにより中綴じされる冊子を作成する中綴じ処理、冊子の小口断裁を行う断裁処理等を行う装置である。
【００２３】
中綴じ処理装置３００は、例えば、中間搬送装置２００から搬送された用紙中折りする中折り部３１０と、中折り部３１０により中折りされた用紙を、用紙の折り目に沿った方向に搬送する搬送機構３２０と、搬送機構３２０により搬送された用紙を重ね合わせた後、冊子１０Ｂに対して打針して中綴じする用紙綴じ装置１Ａと、中綴じされた冊子１０Ｂの小口端部の断裁処理を行う断裁部３７０等を備える。
【００２４】
次に、図１〜図５を参照して、本実施の形態の用紙綴じ装置１Ａの詳細について説明する。用紙綴じ装置１Ａは、中折りされた冊子１０Ｂの本身１０が、折り目１０ａが凸状となる向きである本例では上に凸となる向きで積載されると共に、本身１０に重ねて、本身１０の折り目１０ａより浅い角度で折り目１１ａが甘折りされた冊子の表紙１１が積載される支持部材２と、冊子の本身１０及び表紙１１を支持部材２に押圧する押さえ部材３を備える。
【００２５】
また、用紙綴じ装置１Ａは、綴じ針を冊子の本身１０及び表紙１１に貫通させるステープラ４と、綴じ針を曲げて冊子の本身１０及び表紙１１を綴じるクリンチャ５を備える。
【００２６】
更に、用紙綴じ装置１Ａは、ステープラ４をクリンチャ５に対して離接する方向に移動させると共に、ステープラ４に連動して、押さえ部材３を支持部材２に対して離接する方向に移動させる駆動機構６を備える。
【００２７】
支持部材２は冊子押さえ手段の一例で、本身１０の折り目１０ａを挟んだ一方の側と他方の側を支持する一対の支持面２０を備える。支持部材２は、最下位の本身１０の折り目１０ａの近傍を仮想の支点Ｏとして、本身１０の折り目１０ａ及び表紙１１の折り目１１ａを開く方向に、一対の支持面２０が第１の支持角度である待機角度α１０から第２の支持角度である押さえ角度α１１に開閉可能に構成される。なお、支持部材２は、本身１０の折り目１０ａを支持する図示しない支持凸部を備える。支持凸部は、ばねで上方向に付勢され、押さえ部材による冊子の押圧で昇降可能に構成される。
【００２８】
待機角度α１０は、冊子の本身１０の折り目１０ａのなす角度と同等程度に設定される。また、押さえ角度α１１は、表紙１１の折り目１１ａに本身１０の折り目１０ａが転写されない角度に設定される。
【００２９】
押さえ部材３は冊子押さえ手段の一例で、本身１０の折り目１０ａの位置を綴じ位置Ｐに合わせると共に、表紙１１の折り目１１ａの位置を綴じ位置Ｐにガイドする押さえ凹部３０を備える。押さえ部材３は、ステープラ４による綴じ位置Ｐ合わせて三角形状となる凹部を設けて押さえ凹部３０が構成される。
【００３０】
そして、支持部材２に本身１０を積載する動作と、表紙１１を積載する動作と、綴じ針が本身１０及び表紙１１を貫通する動作のそれぞれで、押さえ凹部３０の角度を各動作に適した角度で保持できるようにするため、押さえ部材３は、第１の押圧部材３１ａと第２の押圧部材３１ｂを備えて、押さえ凹部３０の角度を可変とする。
【００３１】
押さえ部材３は、駆動機構６を構成するアーム６０に、第１の押圧部材３１ａと第２の押圧部材３１ｂが軸３３を支点に回転可能に支持され、第１の押圧部材３１ａと第２の押圧部材３１ｂの組み合わせで、綴じ位置Ｐに位置が合わせられた頂点部が凹状の三角形状となる押さえ凹部３０が構成される。
【００３２】
押さえ部材３は、第１の押圧部材３１ａと第２の押圧部材３１ｂのなす角である押さえ凹部３０の角度を規制するばね３４を備える。ばね３４は付勢手段の一例で、例えば、ねじりコイルばねで構成される。
【００３３】
押さえ部材３は、第１の押圧部材３１ａと第２の押圧部材３１ｂを、押さえ凹部３０の角度が小さくなる方向に軸３３を支点として回転させる力がばね３４で加えられる。
【００３４】
押さえ部材３は、第１の押圧部材３１ａと第２の押圧部材３１ｂを開閉する開閉機構３５を備える。図７は、開閉機構の一例を示す構成図である。開閉機構３５は、モータ等の駆動部３７の駆動力を受け、軸３５ａを支点に回転する。
【００３５】
開閉機構３５は、軸３５ａに対する一方の端部に、第１の押圧部材３１ａに設けた第１の係合部３２ａと当接する第１の押圧部３６ａを備え、軸３５ａに対する他方の端部に、第２の押圧部材３１ｂに設けた第２の係合部３２ｂと当接する第２の押圧部３６ｂを備える。
【００３６】
これにより、押さえ部材３は、開閉機構３５が矢印ａ１方向に回転することで、第１の押圧部３６ａが第１の係合部３２ａを押圧し、第２の押圧部３６ｂが第２の係合部３２ｂを押圧して、ばね３４に抗して第１の押圧部材３１ａと第２の押圧部材３１ｂが軸３３を支点に開く方向に回転する。
【００３７】
開閉機構３５が図７（ａ）に示す状態では、図２に示すように、押さえ凹部３０の角度が、第１の角度の一例としての所定の鋭角である待機角度α１に切り替えられる。開閉機構３５が図７（ｂ）に示す状態では、図３、図４に示すように、押さえ凹部３０の角度が、第２の角度の一例である所定の鈍角である表紙ガイド角度α２に切り替えられる。開閉機構３５が図７（ｃ）に示す状態では、図５に示すように、押さえ凹部３０の角度が、表紙ガイド角度α２より大きい第３の角度の一例としての鈍角である押さえ角度α３に切り替えられる。
【００３８】
また、押さえ部材３は、開閉機構３５が矢印ａ２方向に回転することで、ばね３４の復元力で第１の押圧部材３１ａと第２の押圧部材３１ｂが軸３３を支点に綴じる方向に回転する。なお、ばね３４の復元力を使用せずに、開閉機構３５の動きを第１の押圧部材３１ａと第２の押圧部材３１ｂに伝達して、閉じる方向に回転する動作を行う構成としても良い。
【００３９】
待機角度α１は、冊子の本身１０の折り目１０ａのなす角度と同等程度に設定される。また、表紙ガイド角度α２は、本身１０の折り目１０ａより浅い角度で甘折りされた表紙１１の折り目１１ａと同等、あるいは、折り目１１ａより若干小さい角度に設定され、折り目１１ａの角度を大きくすることなく、表紙１１をガイドできるように構成される。更に、押さえ角度α３は、表紙１１の折り目１１ａに本身１０の折り目１０ａが転写されない角度に設定される。
【００４０】
図８は、駆動機構の一例を示す構成図である。駆動機構６は、アーム６０の回転動作で押さえ部材３を昇降させ、支持部材２に対する高さ方向の位置を移動させるカム６１を備える。カム６１は駆動手段の一例で、アーム６０に設けたローラ６０ａと当接する変位面６１ａ１〜６１ａ３を外周面に備える。
【００４１】
カム６１は、中心Ｏｃから変位面６１ａ１までの半径ｒ１より、中心Ｏｃから変位面６１ａ２までの半径ｒ２が大きく構成され、中心Ｏｃから変位面６１ａ２までの半径ｒ２より、中心Ｏｃから変位面６１ａ３までの半径ｒ３が大きく構成される。
【００４２】
押さえ部材３は、カム６１の回転動作で、ローラ６０ａが変位面６１ａ１に接している間、アーム６０が回転せず、押さえ部材３の高さ方向の位置は変位しない。また、ローラ６０ａが変位面６１ａ２に接している間、アーム６０は回転せず、押さえ部材３の高さは変位しない。同様に、ローラ６０ａが変位面６１ａ３に接している間、アーム６０は回転せず、押さえ部材３の高さは変位しない。
【００４３】
これに対し、押さえ部材３は、カム６１の回転動作で、ローラ６０ａが接する箇所が変位面６１ａ１から変位面６１ａ２に移動すると、アーム６０が軸６０ｂを支点に回転して、押さえ部材３の高さ方向の位置が変化する。また、カム６１の回転動作で、ローラ６０ａが接する箇所が変位面６１ａ２から変位面６１ａ３に移動すると、アーム６０が軸６０ｂを支点に回転して、押さえ部材３の高さが変化する。
【００４４】
押さえ部材３は、カム６１の回転動作で、ローラ６０ａが変位面６１ａ１に接している状態では、図２に示すように、押さえ部材３の高さが所定の第１の位置である待機位置Ｔ１に切り替えられる。ローラ６０ａが変位面６１ａ２に接している状態では、図３、図４に示すように、押さえ部材３の高さが、待機位置Ｔ１より低い第２の位置である表紙ガイド位置Ｔ２に切り替えられる。ローラ６０ａが変位面６１ａ２に接している状態では、図５に示すように、押さえ部材３の高さが、表紙ガイド位置Ｔ２より低い第３の位置である押さえ位置Ｔ３に切り替えられる。
【００４５】
待機位置Ｔ１は、押さえ部材３と支持部材２との間に所定の空間が形成され、本身１０の積載が可能である。表紙ガイド位置Ｔ２は、支持部材２に積載された本身１０の最上位と押さえ部材３との間に、折り目１１ａの位置を綴じ位置Ｐにガイド可能な所定の隙間が形成され、表紙１１が積載可能な状態である。押さえ位置Ｔ３は、本身１０及び表紙１１を押さえ部材３で支持部材２に押圧可能な状態である。
【００４６】
本例では、押さえ部材３の高さ方向への移動と、第１の押圧部材３１ａと第２の押圧部材３１ｂの開閉動作は独立して行うことが可能である。例えば、図３では、押さえ部材３が表紙ガイド位置Ｔ２にある状態で、押さえ凹部３０の角度が表紙ガイド角度α２となっている例を示しているが、押さえ凹部３０の角度を待機角度α１とすることも可能である。
【００４７】
図１に戻り、用紙綴じ装置１Ａは、本身ガイド７０と表紙ガイド７１を備える。本身ガイド７０は、押さえ部材３が待機位置Ｔ１にある状態において、本身１０の折り目１０ａの位置をガイドする。本身ガイド７０は、押さえ部材３の昇降に連動せず、高さ方向の位置が固定される。表紙ガイド７１は、押さえ部材３が表紙ガイド位置Ｔ２にある状態において、表紙１１の折り目１１ａの位置をガイドする。表紙ガイド７１は、押さえ部材３の昇降に連動する。ここで、表紙ガイド７１は、表紙１１の折り目１１ａと同等程度の角度を有したＶ形状である。
【００４８】
＜本実施の形態の用紙綴じ装置及び画像形成システムの動作例＞
図９は、本実施の形態の用紙綴じ装置の動作の一例を示すフローチャートで、次に、各図を参照して、用紙綴じ装置１Ａで本身１０及び表紙１１を綴じる動作について説明する。
【００４９】
画像形成システム１０１では、中綴じ処理装置３００で中折り処理及び積載処理が行われた本身１０が、用紙綴じ装置１Ａに搬送される。図９のステップＳＡ１で、本身１０を積載する動作では、用紙綴じ装置１Ａは、図２に示すように、押さえ部材３を待機位置Ｔ１とし、押さえ凹部３０の角度を待機角度α１とし、支持面２０を待機角度α１０として、本身１０が支持部材２に積載される。待機位置Ｔ１では、押さえ部材３と支持部材２との間に所定の空間が形成され、本身１０の積載時の接触が抑制されることで、積載速度を向上させて生産性を向上させることができる。
【００５０】
図９のステップＳＡ２で、本身１０の積載が完了したと判断すると、図９のステップＳＡ３で、用紙綴じ装置１Ａは、図３に示すように、押さえ部材３を表紙ガイド位置Ｔ２に移動させると共に、押さえ凹部３０の角度を表紙ガイド角度α２に開く。甘折りされた表紙１１は、表紙ガイド７１及び押さえ凹部３０に折り目１１ａの位置がガイドされて、本身１０上に積載される。
【００５１】
上述したように、表紙ガイド角度α２は、本身１０の折り目１０ａより浅い角度で甘折りされた表紙１１の折り目１１ａと同等、あるいは、折り目１１ａより若干小さい角度に設定されることで、表紙１１の折り目１１ａが綴じ位置Ｐにガイドされる。また、表紙１１の折り目１１ａをガイドする際に、折り目１１ａを角度が大きくなる方向に折り曲げられない。よって、折り目１１ａに筋が付くことが抑制される。
【００５２】
図９のステップＳＡ４で、表紙１１の積載が完了したと判断すると、図９のステップＳＡ５で、用紙綴じ装置１Ａは、図４に示すように、支持面２０を押さえ角度α１１に開き、本身１０の折り目１０ａの角度を大きくする。
【００５３】
図９のステップＳＡ６で、支持面２０が開く動作が完了したと判断すると、図９のステップＳＡ７で、用紙綴じ装置１Ａは、図５に示すように、押さえ凹部３０の角度を押さえ角度α３に開いた後、押さえ部材３を押さえ位置Ｔ３に移動させる。
【００５４】
本身１０を支持部材２に積載する動作では、押さえ凹部３０の角度を待機角度α１とすることで、折り目１０ａの位置が綴じ位置Ｐに合わせられる。また、表紙１１を支持部材２に積載する動作では、押さえ凹部３０の角度を表紙ガイド角度α２に開くことで、折り目１１ａの位置が綴じ位置Ｐに合わせられる。更に、押さえ部材３が表紙ガイド位置Ｔ２に位置することで、最上位の本身１０と押さえ部材３との間に所定の隙間が形成されるので、押さえ凹部３０の角度と合わせた効果で、折り目１１ａに筋が付くことが抑制される。
【００５５】
この状態で、支持面２０を押さえ角度α１１に開くことで、本身１０の折り目１０ａが開かれるが、綴じ位置Ｐに対する位置ずれは抑制される。更に、押さえ凹部３０を押さえ角度α３に開いた状態で、押さえ部材３により表紙１１及び本身１０を支持部材２に押圧することで、本身１０の折り目１０ａ及び表紙１１の折り目１１ａの綴じ位置Ｐに対する位置ずれが抑制され、かつ、折り目１１ａに筋が付くことが抑制される。
【００５６】
そして、本身１０の折り目１０ａが所定の鈍角となるように開いた状態で、本身１０及び表紙１１を押さえ部材３で支持面２０に押圧した後、ステープラ４をクリンチャ５に近づく方向に移動させることで、ステープラ４とクリンチャ５との間に本身１０及び表紙１１を挟持させる。そして、綴じ針をステープラ４で打ち出して本身１０及び表紙１１を貫通させ、本身１０及び表紙１１を貫通させた綴じ針の脚部をクリンチャ５で曲げることで、本身１０及び表紙１１が綴じ針で綴じられる。
【００５７】
図９のステップＳＡ８で、綴じ処理が完了したと判断すると、図９のステップＳＡ９で、押さえ部材３を待機位置Ｔ１に移動させ、押さえ凹部３０の角度を待機角度α１に戻し、支持面２０を待機角度α１０に戻す。
【００５８】
図１０は、本実施の形態の用紙綴じ装置の他の動作例を示す説明図である。表紙１１に折り目１１ａが付いて良い場合、図２に示すように、押さえ凹部３０の角度を待機角度α１とした状態で、表紙１１の積載も行う。そして、図１０に示すように、支持面２０を待機角度α１０に保持し、押さえ凹部３０の角度を待機角度α１に保持した状態で、押さえ部材３を押さえ位置Ｔ３に移動させる。なお、押さえ部材３を押さえ位置Ｔ３に移動させた後、綴じ位置を押し潰すため、押さえ凹部３０の角度を押さえ角度α３に開き、支持面２０の角度を押さえ角度α１１に開いていても、積載時に折り目の位置が合わせられているので、折り目の位置がずれることが抑制される。
【産業上の利用可能性】
【００５９】
本発明は、冊子を綴じ針で中綴じする用紙綴じ装置、及び、この用紙綴じ装置を備えた画像形成システムに適用される。
【符号の説明】
【００６０】
１Ａ・・・用紙綴じ装置、２・・・支持部材、２０・・・支持面、３・・・押さえ部材、３０・・・押さえ凹部、３１ａ・・・第１の押圧部材、３１ｂ・・・第２の押圧部材、３３・・・軸、３５・・・開閉機構、４・・・ステープラ、５・・・クリンチャ、６・・・駆動機構、１０１・・・画像形成システム
【図１】
2016222444.tif 000003
【図２】
2016222444.tif 000004
【図３】
2016222444.tif 000005
【図４】
2016222444.tif 000006
【図５】
2016222444.tif 000007
【図６】
2016222444.tif 000008
【図７】
2016222444.tif 000009
【図８】
2016222444.tif 000010
【図９】
2016222444.tif 000011
【図１０】
2016222444.tif 000012